(57)【特許請求の範囲】
【請求項１】
外科的処理や手術の際、皮膚や組織をつまむとか把持するための器具を容れておくための容器である鉗子立であって、
この鉗子立はシリコンゴム製で形成されているとともに、この容器の側壁に補強用リブが設けられていることを特徴とする鉗子立。
【請求項２】
前記補強用リブは、容器の側壁の内壁に形成されていることを特徴とする請求項１に記載の鉗子立。
【請求項３】
前記補強用リブは、容器の側壁の外壁に形成されていることを特徴とする請求項１に記載の鉗子立。
【発明の詳細な説明】
【技術分野】
【０００１】
本発明は、外科的処理や手術の際、皮膚や組織をつまむとか把持するための器具を容れておくための容器である鉗子立で、特にシリコンゴム製で形成されている鉗子立に関するものである。
【背景技術】
【０００２】
外科的処理や手術の際には、皮膚や組織をつまむとか把持するための器具が必要とされ、この器具は多数、多種類のものを使用するので、これらの器具を容れておく容器いわゆる鉗子立が必要とされている。
【０００３】
このような皮膚や組織をつまむとか把持するための器具にどのようなものがあるかその一例を説明する。
【０００４】
図５に示されるものは、はさみ１１であり、外科的処置や手術の際に、人体の組織、臓器などを切る目的に使用されるものであり、材質は鋼、ステンレス鋼である。
【０００５】
図６に示されるものは、外科的処置や手術の際に、皮膚や組織または異物等とかを、把持するために使用されるピンセット２１である。このピンセット２１は各種ガーゼ、消毒綿を持つとき、または医師と看護婦との間でこれらのものを受け渡しをするのに使われる。使用度数は極めて多い。その材質は鋼製ニッケル、またはクロームメッキ、ステンレス鋼、黄銅製ニッケルメッキまたはクロームメッキである。
【０００６】
図７に示されるものは、手術部位の血管を挟んで止血するために用いられる止血鉗子３１である。この止血鉗子３１は手術の際には使用頻度が多くその用途に応じて多種類のものが使用されている。その構造を説明すると３２は先端部で出血点の動脈を挟みつかむ部分である。この先端部３２の後端に２つの把持部３３、３３があり、この２つの把持部３３、３３を開閉することにより、関節３４を支点として前記先端部３２は開閉して血管を挟むことができる。材質はステンレス鋼または鋼製クロームメッキである。
【０００７】
図８に示されるものは鉗子の一種で、ガーゼ、綿花、綿球等を把持するための麦粒鉗子４１で、大型のものは器材把持用として使用される。材質はニッケルまたはクロームメッキ、ステンレス製である。
【０００８】
図９に示されるものは、これも鉗子の一種で、消毒した注射器または円筒形の物品を把持するために用いられる注射器把持鉗子５１で、先端の小凹状の部分は注射針の元を挟むのに便利である。
【０００９】
図１０に示されるものは、消毒液を入れ、その中に前記のはさみ１１、止血鉗子３１、麦粒鉗子４１、注射器把持鉗子５１等の器具を図１１に示されるように立てておき、常時消毒しておくための従来の円筒製容器いわゆる鉗子立６１である。この鉗子立６１の材質は黄銅、ステンレス製である。
【発明の開示】
【発明が解決しようとする課題】
【００１０】
上記のように外科的処置や手術の際に必要とされるはさみ１１、ピンセット２１、止血鉗子３１、麦粒鉗子４１、注射器把持鉗子５１等の器具を容れた鉗子立６１は、図１２に示されるように回診車７１に載せられ看護婦により手術室へ運ばれる。
【００１１】
ところで、この回診車７１で運ばれる際に、前記器具は鋼、ステンレス鋼等の金属製である。一方これらの器具を容れている鉗子立６１も黄銅、ステンレス鋼等の金属製である。そこで鉗子立６１を回診車７１で搬送中に金属製の器具が金属製の鉗子立６１の内壁に当接しガチャガチャという音が発生する。このガチャガチャという異音は病院内へ反響し、患者に不快感を与え、とくに神経質になっている患者をいら立たせるという不都合がある。
【００１２】
またはさみ１１、ピンセット２１、止血鉗子３１等の器具は、その先端を鉗子立６１の底壁に接触して立てておくものである。これらの器具の先端は尖っているので、これらの器具を回診車７１で搬送している際に、鉗子立６１の金属製の底壁に当接して折損してしまうという不都合がある。
【００１３】
本発明はこのような事情からなされたものであって、本発明の目的は、鉗子立内に容れられている外科的処置や手術の際に用いられる器具が、搬送中に異音を発生しないようにした鉗子立を提供することである。
【課題を解決するための手段】
【００１４】
本発明の上記目的は、
外科的処理や手術の際、皮膚や組織をつまむとか把持するための器具を容れておくための容器である鉗子立であって、
この鉗子立はシリコンゴム製で形成されているとともに、この容器の内壁に補強用リブが設けられていることを特徴とする鉗子立を提供することによって、達成することができる。
【００１５】
また本発明の上記目的は、
前記補強用リブは、容器の側壁の内壁に形成されていることを特徴とする前記鉗子立を提供することによって、達成される。
【００１６】
また本発明の上記目的は、
前記補強用リブは、容器の側壁の外壁に形成されていることを特徴とする上記鉗子立を提供することによって、達成される。
【発明の効果】
【００１７】
以上説明したように本発明の鉗子立は、シリコンゴムで形成したので、鉗子立に容れられている外科的処置や手術の際に必要とされる器具が、［搬送中に］鉗子立の内壁に当接してもガチャガチャという異音を発することがないので、患者に不快感を与えたり、患者を無用にいら立たせるおそれはないという効果がある。
【００１８】
また鉗子立は、シリコンゴム製であるので、前記器具をその尖った先端を底壁に接触して立てておいても、その底壁は弾力性があるので、尖った先端部は折損するおそれはない。
【００１９】
さらに金属に比して強度の劣るシリコンゴムであっても、鉗子立に補強用リブを形成したので、鉗子立として充分な効果を有する。
【発明を実施するための最良の形態】
【００２０】
以下本発明の実施形態を図面を参照にして説明する。図１は鉗子立であり、この鉗子立は円筒形容器で、この円筒形容器内に図４に示されるように外科的処置や手術の際に、必要とされるはさみ１１、ピンセット２１、止血鉗子３１、麦粒鉗子４１、注射器把持鉗子５１等の器具が容れられている。またこの容器中には消毒液が入れられていて上記器具を常時消毒しておく。そしてその材質はシリコンゴムであり、シリコンゴムは弾力性があるとともに軽量性でもある。この鉗子立１の側壁の内壁２には、図１，２，３に示されるように数個の補強用リブ３，３・・・・が縦方向に一定の間隔をおいて配設され、金属に比して強度の劣るシリコンゴム製の鉗子立１を補強している。
【００２１】
この数個の補強用リブ３，３・・・・は、この鉗子立の側壁の内壁２に形成されているが、側壁の外壁８に形成されてもよい。
【００２２】
さらに鉗子立１の底部４には突出してフランジ状をなしている台座５が形成され、この台座５の端片６が図２に示されるように前記回診車７１の棚面７２に接地される。したがってこの台座５と回診車７１の棚面７２との間には空間部７が形成され、この空間部７には空気が存在する。そしてこの鉗子立１を回診車７１の棚面７２に接地してから上方から押すと、空間部７に存在している空気は、図３に示されるように排出される。そのため台座５の空間部７は真空状態になり、その台座５は棚面７２に吸盤状態に接触され、鉗子立１は搬送中でも棚面７２上を滑動することはない。このようにシリコンゴム製であるとともに底部に外側に突出し吸盤状をなす台座を形成したので、鉗子立を載置する載置面とは吸盤作用が働き鉗子立は強固に載置面と接触し、そのため搬送中に鉗子立は載置面を滑動することはなく、その結果ガチャガチャという異音を発することがないという効果を有する。
【００２３】
また鉗子立１はシリコンゴム製であるので、前記金属製のはさみ１１、止血鉗子３１、麦粒鉗子４１、注射器把持鉗子５１等の器具等が、搬送中に鉗子立１の内壁２に当接してもガチャガチャという異音を発することはない。
【００２４】
前記金属製のはさみ１１、ピンセット２１、止血鉗子３１、麦粒鉗子４１、注射器把持鉗子５１等の器具は、その尖った先端部を鉗子立の底壁に接触して立てておいても、鉗子立はシリコンゴム製ため底壁に弾力性があり、その結果器具の尖った先端部は折損することはない。
【図面の簡単な説明】
【００２５】
【図１】本発明の実施の形態に係る鉗子立の説明図である。
【図２】図１の鉗子立のＩ−Ｉに沿った断面図である。
【図３】図１の鉗子立のＩ−Ｉに沿った断面図である。
【図４】外科的処置や手術の際に必要とされる器具を容れた鉗子立の説明図である。
【図５】外科的処置や手術の際に必要とされる器具の一種であるはさみの説明図である。
【図６】外科的処置や手術の際に必要とされる器具の一種であるピンセットの説明図である。
【図７】外科的処置や手術の際に必要とされる器具の一種である止血鉗子の説明図である。
【図８】外科的処置や手術の際に必要とされる器具の一種である麦粒鉗子の説明図である。
【図９】外科的処置や手術の際に必要とされる器具の一種である注射器把持鉗子の説明図である。
【図１０】従来の鉗子立の説明図である。
【図１１】従来の鉗子立に外科的処置や手術の際に必要とされる器具を容れた所の説明図である。
【図１２】鉗子立を載置している回診車の説明図である。
【符号の説明】
【００２６】
１  鉗子立
２  鉗子立の側壁の内壁
３  補強用リブ
４  鉗子立の底部
５  台座
７  空間部
８  鉗子立の側壁の外壁
１１  ハサミ
２１  ピンセット
３１  止血鉗子
４１  麦粒鉗子
５１  注射器把持鉗子
【図１】
0004427053.tif 000002
【図２】
0004427053.tif 000003
【図３】
0004427053.tif 000004
【図４】
0004427053.tif 000005
【図５】
0004427053.tif 000006
【図６】
0004427053.tif 000007
【図７】
0004427053.tif 000008
【図８】
0004427053.tif 000009
【図９】
0004427053.tif 000010
【図１０】
0004427053.tif 000011
【図１１】
0004427053.tif 000012
【図１２】
0004427053.tif 000013